(57)【要約】  斜め方向から見た場合に可視光の全波長域を確実に遮光することができるディスプレイと、これに用いられる視野角制御素子とを提供する。視野角制御用液晶パネル（２）が、液晶セル（２１）と、出射側偏光板（２２）とを備え、可視光の波長域の少なくとも一部の波長成分（Ｒ，Ｇ）の光が所定の角度以上で入射した際に、液晶セル（２１）が位相差を与えることにより、Ｒ，Ｇ成分の光が出射側偏光板（２２）を透過しないよう遮蔽する第１の遮蔽層として機能する。また、位相差板（４）と偏光板（５）とが、前記第１の遮蔽層を透過した光が前記所定の角度以上で入射した際に、位相差板（４）が位相差を与えることにより、当該光の少なくとも一部の波長成分（Ｂ）の光が偏光板（５）を透過しないよう遮蔽する補助遮蔽層として機能する。
2008143256.tif 000002
【特許請求の範囲】
【請求項１】
画像を表示する画像表示装置と、前記画像表示装置に積層され、当該画像表示装置の視野角を制御する視野角制御素子とを備えたディスプレイであって、
前記視野角制御素子が、
複屈折性を有する光学素子と、前記光学素子の出射側に配置された出射側偏光板を含む少なくとも１枚の偏光板とを備え、可視光の波長域の少なくとも一部の波長成分の光が所定の角度以上で入射した際に、前記光学素子が位相差を与えることにより、当該波長成分の光が前記出射側偏光板を透過しないよう遮蔽する第１の遮蔽層と、
複屈折性を有する光学素子と、前記光学素子の出射側に配置された出射側偏光板を含む少なくとも１枚の偏光板とを含み、前記第１の遮蔽層を透過した光が前記所定の角度以上で入射した際に、前記光学素子が位相差を与えることにより、当該光の少なくとも一部の波長成分の光が前記出射側偏光板を透過しないよう遮蔽する少なくとも一層の補助遮蔽層を含み、
前記第１の遮蔽層および補助遮蔽層によって、前記視野角制御素子へ前記所定の角度以上で入射した光のうち、少なくとも三原色の波長成分が遮蔽されることを特徴とするディスプレイ。
【請求項２】
前記第１の遮蔽層および補助遮蔽層のそれぞれが、前記光学素子として、液晶パネルおよび位相差板の少なくとも一方を含む、請求項１に記載のディスプレイ。
【請求項３】
前記第１の遮蔽層および補助遮蔽層の一方が、少なくとも赤色の波長および緑色の波長を含む波長域の光を遮蔽し、前記第１の遮蔽層および補助遮蔽層の他方が、青色の波長を含む波長域の光を遮蔽する、請求項１または２に記載のディスプレイ。
【請求項４】
前記第１の遮蔽層および補助遮蔽層の一方が、深紅の波長、赤色の波長、および緑色の波長を含む波長域の光を遮蔽する、請求項３に記載のディスプレイ。
【請求項５】
前記第１の遮蔽層および補助遮蔽層の一方が、少なくとも赤色の波長を含む波長域の光を遮蔽し、前記第１の遮蔽層および補助遮蔽層の他方が、緑色の波長および青色の波長を含む波長域の光を遮蔽する、請求項１または２に記載のディスプレイ。
【請求項６】
前記第１の遮蔽層および補助遮蔽層の一方が、深紅の波長および赤色の波長を含む波長域の光を遮蔽する、請求項５に記載のディスプレイ。
【請求項７】
前記補助遮蔽層が、少なくとも２層設けられ、
第１の遮蔽層および前記２層の補助遮蔽層の合計３層のうちのいずれかである第１の層が、赤色の波長を含む波長域の光を遮蔽し、前記合計３層のうち前記第１の層を除く２層のうちいずれかである第２の層が、緑色の波長を含む波長域の光を遮蔽し、前記合計３層のうち、前記第１の層および第２の層を除く第３の層が、青色の波長を含む波長域の光を遮蔽する、請求項１または２に記載のディスプレイ。
【請求項８】
前記第１の遮蔽層の光学素子を挟んで配置されている偏光板の偏光吸収軸が略平行であり、前記第１の遮蔽層および補助遮蔽層の光学素子のリタデーションをＲ、前記各層において遮蔽される光の波長をλ、ｎを０以上の整数とすると、
ｎλ／２−λ／４  ＜  Ｒ  ＜  ｎλ／２＋λ／４
が満たされる、請求項１〜７のいずれか一項に記載のディスプレイ。
【請求項９】
前記第１の遮蔽層の光学素子を挟んで配置されている偏光板の偏光吸収軸が略直交しており、前記第１の遮蔽層および補助遮蔽層の光学素子のリタデーションをＲ、前記各層において遮蔽される光の波長をλ、ｎを０以上の整数とすると、
ｎλ−λ／４  ＜  Ｒ  ＜  ｎλ＋λ／４
が満たされる、請求項１〜７のいずれか一項に記載のディスプレイ。
【請求項１０】
前記表示装置が透過型液晶表示装置であり、バックライトをさらに備えた、請求項１〜９のいずれか一項に記載のディスプレイ。
【請求項１１】
前記視野角制御素子が、前記バックライトと前記透過型液晶表示装置との間に配置された、請求項１０に記載のディスプレイ。
【請求項１２】
前記視野角制御素子が、前記透過型液晶表示装置の前面に配置された、請求項１０に記載のディスプレイ。
【請求項１３】
前記表示装置が、反射型液晶表示装置または半透過型液晶表示装置であり、
前記視野角制御素子が、前記透過型液晶表示装置の前面に配置された、請求項１〜９のいずれか一項に記載のディスプレイ。
【請求項１４】
前記表示装置が、自発光型表示装置であって、
前記視野角制御素子は、前記自発光型表示装置の前面に配置された、請求項１〜９のいずれか一項に記載のディスプレイ。
【請求項１５】
画像を表示する画像表示装置に積層され、当該画像表示装置の視野角を制御する視野角制御素子であって、
複屈折性を有する光学素子と、前記光学素子の出射側に配置された出射側偏光板を含む少なくとも１枚の偏光板とを備え、可視光の波長域の少なくとも一部の波長成分の光が所定の角度以上で入射した際に、前記光学素子が位相差を与えることにより、当該波長成分の光が前記出射側偏光板を透過しないよう遮蔽する第１の遮蔽層と、
複屈折性を有する光学素子と、前記光学素子の出射側に配置された出射側偏光板を含む少なくとも１枚の偏光板とを含み、前記第１の遮蔽層を透過した光が前記所定の角度以上で入射した際に、前記光学素子が位相差を与えることにより、当該光の少なくとも一部の波長成分の光が前記出射側偏光板を透過しないよう遮蔽する少なくとも一層の補助遮蔽層とを含み、
前記第１の遮蔽層および補助遮蔽層によって、前記視野角制御素子へ前記所定の角度以上で入射した光のうち、少なくとも三原色の波長成分が遮蔽されることを特徴とする視野角制御素子。
【発明の詳細な説明】
【技術分野】
【０００１】
本発明は、ディスプレイの視野角を広視野角と狭視野角との間で切替えられる視野角制御素子と、それを用いたディスプレイに関するものである。
【背景技術】
【０００２】
ディスプレイは、一般的には、どの視角から見ても鮮明な画像を見ることができるように、可能な限り広い視野角を有することが求められている。特に、最近広く普及している液晶ディスプレイは、液晶そのものが視角依存性を有することから、広視野角化に関して様々な技術開発がなされてきた。しかしながら、使用環境によっては、使用者本人にしか表示内容が視認できないよう、視野角が狭い方が好都合であることもある。特に、ノート型パーソナルコンピュータ、携帯型情報端末（ＰＤＡ）、または携帯電話等は、電車や飛行機内など、不特定多数の人間が存在し得る場所で使用される可能性も高い。そのような使用環境においては、機密保持やプライバシー保護等の観点から、近傍の他人から表示内容を覗かれたくないので、ディスプレイの視野角が狭いことが望ましい。このように、近年、１台のディスプレイの視野角を、使用状況に応じて広視野角と狭視野角との間で切替えたいという要求が高まっている。なお、この要求は、液晶ディスプレイに限らず、任意のディスプレイに対して共通の課題である。【０００３】
このような要求に対して、画像を表示する表示装置に加えて位相差制御用装置を備え、位相差制御用装置に印加する電圧を制御することによって視野角特性を変化させようとする技術が提案されている（例えば、特許第３３２２１９７号公報）。この特許第３３２２１９７号公報では、位相差制御用液晶表示装置で用いる液晶モードとして、カイラルネマティック液晶、ホモジニアス液晶、ランダム配向のネマティック液晶などが例示されている。【０００４】
また、表示用液晶パネル上部に、視野角制御用液晶パネルを設け、これらのパネルを２枚の偏光板で挟持し、視野角制御用液晶パネルへの印加電圧を調整することによって、視野角制御を行う構成も従来開示されている（例えば、特開平１０−２６８２５１号公報、特開２００５−３１６４７０号公報）。特開平１０−２６８２５１号公報では、視野角制御用液晶パネルの液晶モードはツイストネマティック方式である。特開２００５−３１６４７０号公報には、平行な透過軸を有する２枚の偏光板の間に視野角制御用液晶パネルを備えた構成が開示されている。
【発明の開示】
【発明が解決しようとする課題】
【０００５】
上記した従来の視野角制御用液晶パネルは、いずれも、液晶パネルの位相差を利用して視野角制御を行うものである。しかしながら、液晶パネルで生じる位相差は波長に依存するので、可視光に含まれるＲ（赤色）、Ｇ（緑色）、Ｂ（青色）の全波長域を同時に遮光することは難しい。【０００６】
本発明は、この問題を鑑み、斜め方向から見た場合に可視光の全波長域を確実に遮光することができるディスプレイと、これに用いられる視野角制御素子とを提供することを目的としている。
【課題を解決するための手段】
【０００７】
上記の目的を達成するために、本発明にかかるディスプレイは、画像を表示する画像表示装置と、前記画像表示装置に積層され、当該画像表示装置の視野角を制御する視野角制御素子とを備えたディスプレイであって、前記視野角制御素子が、複屈折性を有する光学素子と、前記光学素子の出射側に配置された出射側偏光板を含む少なくとも１枚の偏光板とを備え、可視光の波長域の少なくとも一部の波長成分の光が所定の角度以上で入射した際に、前記光学素子が位相差を与えることにより、当該波長成分の光が前記出射側偏光板を透過しないよう遮蔽する第１の遮蔽層と、複屈折性を有する光学素子と、前記光学素子の出射側に配置された出射側偏光板を含む少なくとも１枚の偏光板とを含み、前記第１の遮蔽層を透過した光が前記所定の角度以上で入射した際に、前記光学素子が位相差を与えることにより、当該光の少なくとも一部の波長成分の光が前記出射側偏光板を透過しないよう遮蔽する少なくとも一層の補助遮蔽層とを含み、前記第１の遮蔽層および補助遮蔽層によって、前記視野角制御素子へ前記所定の角度以上で入射した光のうち、少なくとも三原色の波長成分が遮蔽されることを特徴とする。
【発明の効果】
【０００８】
本発明によれば、第１の遮蔽層および補助遮蔽層との組み合わせによって、前記視野角制御素子へ前記所定の角度以上で入射した光のうち、少なくとも三原色の波長成分が遮蔽されるので、斜め方向から見た場合に可視光の全波長域を確実に遮光することができるディスプレイを提供できる。
【図面の簡単な説明】
【０００９】
【図１】図１は、本発明の第１の実施形態にかかるディスプレイの概略構成を示す断面図である。
【図２】図２は、第１の実施形態にかかるディスプレイを狭視野角状態とした場合の光学特性を波長毎に示す模式図である。
【図３】図３は、第１の実施形態にかかるディスプレイの変形例の概略構成を示す断面図である。
【図４】図４は、第１の実施形態にかかるディスプレイの変形例の概略構成を示す断面図である。
【図５】図５は、本発明の第２の実施形態にかかるディスプレイの概略構成を示す断面図である。
【図６】図６は、第２の実施形態にかかるディスプレイの光学特性を波長毎に示す模式図である。
【図７】図７は、第１の実施形態にかかるディスプレイの変形例の概略構成を示す断面図である。
【発明を実施するための最良の形態】
【００１０】
本発明の一実施形態にかかるディスプレイは、画像を表示する画像表示装置と、前記画像表示装置に積層され、当該画像表示装置の視野角を制御する視野角制御素子とを備えたディスプレイであって、前記視野角制御素子が、複屈折性を有する光学素子と、前記光学素子の出射側に配置された出射側偏光板を含む少なくとも１枚の偏光板とを備え、可視光の波長域の少なくとも一部の波長成分の光が所定の角度以上で入射した際に、前記光学素子が位相差を与えることにより、当該波長成分の光が前記出射側偏光板を透過しないよう遮蔽する第１の遮蔽層と、複屈折性を有する光学素子と、前記光学素子の出射側に配置された出射側偏光板を含む少なくとも１枚の偏光板とを含み、前記第１の遮蔽層を透過した光が前記所定の角度以上で入射した際に、前記光学素子が位相差を与えることにより、当該光の少なくとも一部の波長成分の光が前記出射側偏光板を透過しないよう遮蔽する少なくとも一層の補助遮蔽層とを含み、前記第１の遮蔽層および補助遮蔽層によって、前記視野角制御素子へ前記所定の角度以上で入射した光のうち、少なくとも三原色の波長成分が遮蔽されることを特徴とする。【００１１】
前記のディスプレイにおいて、前記第１の遮蔽層および補助遮蔽層のそれぞれが、前記光学素子として、液晶パネルおよび位相差板の少なくとも一方を含むことが好ましい。【００１２】
前記のディスプレイにおいて、前記第１の遮蔽層および補助遮蔽層の一方が、少なくとも赤色の波長および緑色の波長を含む波長域の光を遮蔽し、前記第１の遮蔽層および補助遮蔽層の他方が、青色の波長を含む波長域の光を遮蔽することが好ましい。この場合、前記第１の遮蔽層および補助遮蔽層の一方が、深紅の波長、赤色の波長、および緑色の波長を含む波長域の光を遮蔽する構成であっても良い。前者の構成によれば、いわゆる３波長光源を用いた場合に、斜め方向への漏れ光を全波長域で確実に遮蔽することができる。後者の構成によれば、いわゆる４波長光源を用いた場合であっても、斜め方向への漏れ光を確実に遮蔽することができる。【００１３】
前記のディスプレイにおいて、前記第１の遮蔽層および補助遮蔽層の一方が、少なくとも赤色の波長を含む波長域の光を遮蔽し、前記第１の遮蔽層および補助遮蔽層の他方が、緑色の波長および青色の波長を含む波長域の光を遮蔽する構成としても良い。この場合、前記第１の遮蔽層および補助遮蔽層の一方が、深紅の波長および赤色の波長を含む波長域の光を遮蔽する構成であっても良い。【００１４】
前記のディスプレイにおいて、前記補助遮蔽層が、少なくとも２層設けられ、第１の遮蔽層および前記２層の補助遮蔽層の合計３層のうちのいずれかである第１の層が、赤色の波長を含む波長域の光を遮蔽し、前記合計３層のうち前記第１の層を除く２層のうちいずれかである第２の層が、緑色の波長を含む波長域の光を遮蔽し、前記合計３層のうち、前記第１の層および第２の層を除く第３の層が、青色の波長を含む波長域の光を遮蔽する構成としても良い。【００１５】
前記のディスプレイにおいて、前記第１の遮蔽層の光学素子を挟んで配置されている偏光板の偏光吸収軸が略平行であり、前記第１の遮蔽層および補助遮蔽層の光学素子のリタデーションをＲ、前記各層において遮蔽される光の波長をλ、ｎを０以上の整数とすると、
ｎλ／２−λ／４  ＜  Ｒ  ＜  ｎλ／２＋λ／４
が満たされることが好ましい。【００１６】
あるいは、前記のディスプレイにおいて、前記第１の遮蔽層の光学素子を挟んで配置されている偏光板の偏光吸収軸が略直交しており、前記第１の遮蔽層および補助遮蔽層の光学素子のリタデーションをＲ、前記各層において遮蔽される光の波長をλ、ｎを０以上の整数とすると、
ｎλ−λ／４  ＜  Ｒ  ＜  ｎλ＋λ／４
が満たされる構成としても良い。【００１７】
前記のディスプレイは、前記表示装置が透過型液晶表示装置であり、バックライトをさらに備えた構成とすることができる。この場合、前記視野角制御素子が、前記バックライトと前記透過型液晶表示装置との間に配置された構成としても良いし、前記視野角制御素子が、前記透過型液晶表示装置の前面に配置された構成としても良い。【００１８】
また、前記のディスプレイは、前記表示装置が、反射型液晶表示装置または半透過型液晶表示装置であり、前記視野角制御素子が、前記透過型液晶表示装置の前面に配置された構成としても良い。【００１９】
あるいは、前記のディスプレイは、前記表示装置が自発光型表示装置であって、前記視野角制御素子は、前記自発光型表示装置の前面に配置された構成としても良い。【００２０】
また、上記の目的を達成するために、本発明の一実施形態にかかる視野角制御素子は、画像を表示する画像表示装置に積層され、当該画像表示装置の視野角を制御する視野角制御素子であって、複屈折性を有する光学素子と、前記光学素子の出射側に配置された出射側偏光板を含む少なくとも１枚の偏光板とを備え、可視光の波長域の少なくとも一部の波長成分の光が所定の角度以上で入射した際に、前記光学素子が位相差を与えることにより、当該波長成分の光が前記出射側偏光板を透過しないよう遮蔽する第１の遮蔽層と、複屈折性を有する光学素子と、前記光学素子の出射側に配置された出射側偏光板を含む少なくとも１枚の偏光板とを含み、前記第１の遮蔽層を透過した光が前記所定の角度以上で入射した際に、前記光学素子が位相差を与えることにより、当該光の少なくとも一部の波長成分の光が前記出射側偏光板を透過しないよう遮蔽する少なくとも一層の補助遮蔽層とを含み、前記第１の遮蔽層を透過した光が前記所定の角度以上で入射した際に、前記光学素子が位相差を与えることにより、当該光の少なくとも一部の波長成分の光が前記出射側偏光板を透過しないよう遮蔽する補助遮蔽層とを少なくとも含み、前記第１の遮蔽層および補助遮蔽層によって、前記視野角制御素子へ前記所定の角度以上で入射した光のうち、少なくとも三原色の波長成分が遮蔽されることを特徴とする。【００２１】
以下、本発明のより具体的な実施形態について、図面を参照しながら説明する。ただし、以下で参照する各図は、説明の便宜上、本発明の実施形態の構成部材のうち、本発明を説明するために必要な主要部材のみを簡略化して示したものである。従って、本発明にかかるディスプレイは、本明細書が参照する各図に示されていない任意の構成部材を備え得る。また、各図中の部材の寸法は、実際の構成部材の寸法および各部材の寸法比率等を忠実に表したものではない。【００２２】
［第１の実施形態］
図１は、本発明の第１の実施形態にかかる液晶ディスプレイ１００の概略構成を示す断面図である。図１に示すように、液晶ディスプレイ１００は、画像を表示する表示用液晶パネル１（表示装置）と、視野角制御用液晶パネル２（第１の遮蔽層）との２枚の液晶パネルを備えている。本実施形態における表示用液晶パネル１は透過型であり、その背面に、３波長光源を用いたバックライト３が配置されている。図１に示す液晶ディスプレイ１００においては、視野角制御用液晶パネル２は、表示用液晶パネル１の前面（観察者側）に配置されている。また、液晶ディスプレイ１００は、視野角制御用液晶パネル２の前面に、補助遮蔽層として機能する位相差板４および偏光板５をさらに備えている。【００２３】
液晶ディスプレイ１００は、視野角制御用液晶パネル２における液晶をスイッチング動作させることにより、表示用液晶パネル１の画像が視認できる視野角が広い状態（広視野角）と、視野角が狭い状態（狭視野角）との間で、表示状態を切替えることができる。狭視野角は、他人に表示用液晶パネル１の画像を見られたくない場合に特に好適に用いられ、広視野角は、それ以外の通常の使用時や、表示用液晶パネル１の画像を複数人で同時に見たい場合等に好適に用いられる。【００２４】
表示用液晶パネル１は、一対の透光性基板間に液晶を挟持した液晶セル１１と、液晶セル１１の表裏に設けられた偏光板１２，１３とを有する。液晶セル１１の液晶モードやセル構造は任意である。また、表示用液晶パネル１の駆動モードも任意である。すなわち、表示用液晶パネル１としては、文字や画像あるいは動画を表示できる任意の液晶パネルを用いることができる。従って、図１においては表示用液晶パネル１の詳細な構造を図示せず、その説明も省略する。また、表示用液晶パネル１は、カラー表示可能なパネルであっても良いし、モノクロ表示専用のパネルであっても良い。さらに、バックライト３の構成にも何ら限定がなく、公知の任意のバックライトを用いることができるので、バックライト３の詳細な構造の図示および説明も省略する。【００２５】
視野角制御用液晶パネル２は、液晶セル２１と、液晶セル２１において表示用液晶パネル１とは反対側の主面に積層された偏光板２２とを有している。液晶セル２１としては、偏光板１２および偏光板２２の組み合わせにより、０°〜３６０°の方位角の少なくとも一部において、極角が所定の角度φよりも大きい角度で透過する所定波長範囲の光を遮蔽する狭視野角状態を実現できることを条件として、任意の液晶モードの液晶セルを用いることができる。なお、上記の角度φは、液晶ディスプレイ１００の用途等に応じて、例えば３０°または４５°等の任意の角度をとり得る。また、上記の「所定波長範囲」とは、ＲＧＢの３原色のうちの２色のピーク波長を含む範囲であることが好ましい。以下の説明においては、液晶セル２１は、狭視野角状態のときに、Ｇのピーク波長（５５０ｎｍ付近）およびＲのピーク波長（６５０ｎｍ付近）を含む波長範囲を遮蔽できるように構成されているものとする。【００２６】
液晶ディスプレイ１００において、偏光板１２，２２，５は、それらの偏光吸収軸が一致するように、いわゆるパラレルニコルに配置されている。偏光板１３は、液晶セル１１の液晶モードや表示用液晶パネル１が備え得るその他の光学部材（例えば各種の位相差板）の特性に応じて、偏光板１２に対してパラレルニコルであっても良いし、クロスニコルであっても良い。【００２７】
図２は、視野角制御用液晶パネル２を狭視野角状態とした場合の、液晶ディスプレイ１００の光学特性を波長毎に示す模式図である。なお、図２においては、偏光板１３およびバックライト３の図示を省略した。図２に示すように、視野角制御用液晶パネル２を狭視野角状態とした場合、正面方向に対しては、ＲＧＢの３原色の全ての波長成分の光（Ｒ1，Ｇ1，Ｂ1）が透過し、観察者に視認される。一方で、極角が所定の角度よりも大きい斜め方向に対しては、液晶セル２１で与えられる位相差により、Ｒの波長成分の光（Ｒ2）とＧの波長成分の光（Ｇ2）は偏光板２２を透過できずに遮蔽され、Ｂの波長成分の光（Ｂ2）のみが、偏光板２２を透過する。ただし、Ｂの波長成分の光（Ｂ2）は、位相差板４で与えられる位相差により、偏光板５を透過できずに遮蔽される。これにより、視野角制御用液晶パネル２を狭視野角状態とした場合、斜め方向に対しては、ＲＧＢの３原色の全ての波長成分の光（Ｒ2，Ｇ2，Ｂ2）が遮蔽され、観察者には視認されない。この結果、視野角制御用液晶パネル２を狭視野角状態とした場合、斜め方向からの覗き見を確実に防止することができる。【００２８】
以上の光学特性を実現するためには、視野角制御用液晶パネル２を狭視野角状態としたときに、以下の（１）〜（４）の条件が満たされていることが必要である。なお、ここでは、上述のとおり、偏光板１２，２２，５は、それらの偏光吸収軸が一致するように、いわゆるパラレルニコルに配置されているものとする。【００２９】
（１）正面方向（極角φ＝０°）に対して、Ｒのピーク波長λR（約６５０ｎｍ）、Ｇのピーク波長λG（約５５０ｎｍ）、およびＢのピーク波長λB（約４５０ｎｍ）についての液晶セル２１のリタデーション値ＲLCDR0，ＲLCDG0，ＲLCDB0が、ｎをそれぞれ０以上の整数とした場合、それぞれ下記の条件式（ｆ１）〜（ｆ３）を満たすように、液晶セル２１において液晶分子の挙動が制御されていること。なお、下記の条件式（ｆ１）〜（ｆ３）および以降に示す各条件式において、ｎは同一の値であっても良いし、互いに異なる値であっても良い。
ｎλR−λR／４  ＜  ＲLCDR0  ＜  ｎλR＋λR／４    ・・・（ｆ１）
ｎλG−λG／４  ＜  ＲLCDG0  ＜  ｎλG＋λG／４    ・・・（ｆ２）
ｎλB−λB／４  ＜  ＲLCDB0  ＜  ｎλB＋λB／４    ・・・（ｆ３）【００３０】
すなわち、上記の（ｆ１）〜（ｆ３）の条件が満たされれば、偏光板１２を透過して液晶セル２１に入射した直線偏光の振動面は、液晶セル２１を通過する際に約１８０°回転するので、偏光板２２を透過することができる。【００３１】
（２）正面方向（極角φ＝０°）に対して、Ｒのピーク波長λR、Ｇのピーク波長λG、およびＢのピーク波長λBについての位相差板４のリタデーション値ＲPOLR0，ＲPOLG0，ＲPOLB0が、ｎをそれぞれ０以上の整数とした場合、それぞれ下記の条件式（ｆ４）〜（ｆ６）を満たすこと。なお、位相差板４のリタデーション値は、位相差板４の３次元屈折率（ｎｘ，ｎｙ，ｎｚ）および位相差板４の厚さ（ｄ）によって決まる。
ｎλR−λR／４  ＜  ＲPOLR0  ＜  ｎλR＋λR／４    ・・・（ｆ４）
ｎλG−λG／４  ＜  ＲPOLG0  ＜  ｎλG＋λG／４    ・・・（ｆ５）
ｎλB−λB／４  ＜  ＲPOLB0  ＜  ｎλB＋λB／４    ・・・（ｆ６）【００３２】
（３）斜め方向（極角φ＝θ）に対して、Ｒのピーク波長λR、およびＧのピーク波長λGについての液晶セル２１のリタデーション値ＲLCDRθ，ＲLCDGθが、それぞれ下記の条件式（ｆ７），（ｆ８）を満たすように、液晶セル２１において液晶分子の挙動が制御されていること。
ｎλR／２−λR／４  ＜  ＲLCDRθ  ＜  ｎλR／２＋λR／４    ・・・（ｆ７）
ｎλG／２−λG／４  ＜  ＲLCDGθ  ＜  ｎλG／２＋λG／４    ・・・（ｆ８）【００３３】
上記の（ｆ７），（ｆ８）の条件が満たされれば、偏光板１２を透過して液晶セル２１に入射した直線偏光の振動面は、液晶セル２１を通過する際に約９０°回転するので、偏光板２２を透過することができない。【００３４】
（４）斜め方向（極角φ＝θ）に対して、Ｂのピーク波長λBについての位相差板４のリタデーション値ＲPOLBθが、下記の条件式（ｆ９）を満たすこと。
ｎλB／２−λB／４  ＜  ＲPOLBθ  ＜  ｎλB／２＋λB／４    ・・・（ｆ９）
上記（ｆ９）の条件が満たされれば、偏光板２２を透過して位相差板４に入射した直線偏光は、その振動面が、位相差板４を通過する際に約９０°回転するので、偏光板５を透過できない。これにより、視野角制御用液晶パネル２で遮蔽されなかったＢの波長成分の漏れ光を、位相差板４と偏光板５との組み合わせによって遮蔽することができる。【００３５】
なお、偏光板１２に対して偏光板２２がクロスニコルに配置されている場合は、上記の式（ｆ１）〜（ｆ３）において、ｎλR，ｎλB，ｎλGの各項を、ｎλR／２，ｎλB／２，ｎλG／２に置き換えると共に、式（ｆ７），（ｆ８）において、ｎλR／２，ｎλB／２，ｎλG／２の各項を、ｎλR，ｎλB，ｎλGに置き換えれば良い。【００３６】
また、偏光板２２に対して偏光板５がクロスニコルに配置されている場合は、上記の式（ｆ４）〜（ｆ６）において、ｎλR，ｎλB，ｎλGの各項を、ｎλR／２，ｎλB／２，ｎλG／２に置き換えると共に、式（ｆ９）において、ｎλB／２の項を、ｎλBに置き換えれば良い。【００３７】
また、より良好な狭視野角特性を得るためには、上記の式（ｆ７）〜（ｆ９）におけるλR／４，λB／４，λG／４の各項を、例えばλR／８，λB／８，λG／８に設定すること、あるいは、よりゼロに近い小さな値に設定することが好ましい。【００３８】
位相差板４としては、例えば、ネガティブＣプレート（ｎｘ＝ｎｙ＞ｎｚ）を用いることができる。この場合、例えば、極角φ＝４５°に対して、Ｂのピーク波長を含む波長範囲の光が偏光板５を透過しないようにするためには、当該極角に対するネガティブＣプレート（位相差板４）のリタデーション値をほぼλB／２（λB＝４５０ｎｍ）に設定すれば良い。【００３９】
以上のように、本実施形態にかかる液晶ディスプレイ１００によれば、視野角制御用液晶パネル２を狭視野角状態としたときに、視野角制御用液晶パネル２において遮光しきれない青色成分の漏れ光を、位相差板４と偏光板５との組み合わせによって確実に遮光することができる。これにより、斜め方向へ出射する光のＲＧＢ成分の全てを遮光できる。この結果、斜め方向の視角から見た場合に表示用液晶パネル１の表示内容が全く見えない狭視野角状態を実現することができる。【００４０】
なお、上記の説明においては、視野角制御用液晶パネル２が、狭視野角状態のときに、Ｇのピーク波長（５５０ｎｍ付近）およびＲのピーク波長（６５０ｎｍ付近）を含む波長範囲の光を遮蔽し、位相差板４が、偏光板５との組み合わせによって、斜め方向においてＢのピーク波長（４５０ｎｍ付近）を遮蔽する構成を例示した。しかしながら、本発明の実施形態はこの構成に限定されず、以下のような変形例も可能である。【００４１】
例えば、視野角制御用液晶パネル２が、狭視野角状態のときに、Ｂのピーク波長（４５０ｎｍ付近）およびＧのピーク波長（５５０ｎｍ付近）を含む波長範囲の光を遮蔽し、位相差板４が、偏光板５との組み合わせによって、斜め方向においてＲのピーク波長（６５０ｎｍ付近）を遮蔽する構成としても良い。【００４２】
また、上記の説明では、バックライト３として３波長光源を用いたバックライトを例示したが、ＲＧＢの３原色に加えて７００ｎｍ付近（深紅）にもピーク波長を有する４波長光源を用いる場合にも、本発明を適用することができる。その場合、視野角制御用液晶パネル２が、斜め方向において、Ｇのピーク波長（５５０ｎｍ付近）、Ｒのピーク波長（６５０ｎｍ付近）、および深紅のピーク波長（７００ｎｍ付近）を含む波長範囲の光を遮蔽し、位相差板４が、偏光板５との組み合わせによって、斜め方向においてＢのピーク波長（４５０ｎｍ付近）を遮蔽する構成とすれば良い。あるいは、視野角制御用液晶パネル２が、斜め方向において、Ｒのピーク波長と深紅のピーク波長を含む波長範囲の光を遮蔽し、位相差板４が、偏光板５との組み合わせによって、斜め方向においてＧのピーク波長近辺の波長成分とＢのピーク波長近辺の波長成分とを遮蔽する構成としても良い。また、このとき、Ｇのピーク波長近辺の波長成分とＢのピーク波長近辺の波長成分とを、位相差板４とさらにもう１枚備えた位相差板とによって遮蔽する構成としても良い。【００４３】
なお、バックライト３の光源は、３波長光源および４波長光源に限定されない。すなわち、特定の波長に輝度ピークを有する光源をバックライトに用いる場合は、当該波長の値や輝度ピークの数に応じて、液晶セル２１および位相差板４のリタデーションや位相差板の数等を適宜設計すれば良い。【００４４】
また、本実施形態では、視野角制御用液晶パネル２で遮光しきれない波長成分を、位相差板４を用いて遮蔽する構成を例示したが、位相差板４の代わりに、位相差板４と同等のリタデーションを有する液晶セルを用いても良い。【００４５】
また、本実施形態では、図１に示したように、偏光板１２が、表示用液晶パネル１の出射側偏光板と、視野角制御用液晶パネル２の入射側偏光板とを兼ねた構成を例示した。しかし、図３に示すように、偏光板１２の上層に、視野角制御用液晶パネル２の入射側偏光板としての偏光板２３をさらに備えた液晶ディスプレイ１０１も、本発明の一実施形態である。ただし、図１に示した液晶ディスプレイ１００の方が、図３に示した液晶ディスプレイ１０１よりも偏光板の数が少なくて済むという利点がある。【００４６】
さらに、本実施形態では、表示用液晶パネル１に近い側にＲＧ成分を遮光する視野角制御用液晶パネル２が配置され、その前面（観察者側）に位相差板４と偏光板５とが配置された構成を例示した。しかし、各色成分を遮光する液晶パネルおよび位相差板の積層順序は任意である。例えば、図４に示すように、位相差板４および偏光板５と、視野角制御用液晶パネル２との積層順序が、図１に示した構成とは逆であっても良い。【００４７】
［第２の実施形態］
本発明にかかる第２の実施形態について、以下に説明する。なお、第１の実施形態において説明した構成と同様の機能を有する構成については、第１の実施形態と同じ参照符号を付記し、その詳細な説明を省略する。【００４８】
図５は、第２の実施形態にかかる液晶ディスプレイ１０２の概略構成を示す断面図である。図５に示すように、液晶ディスプレイ１０２は、表示用液晶パネル１の前面（観察者側）に、視野角制御用液晶パネル２の代わりに、視野角制御フィルム６を備えている。【００４９】
視野角制御フィルム６は、位相差板６１、偏光板６２、位相差板６３、偏光板６４、位相差板６５、および偏光板６６から構成されている。【００５０】
液晶ディスプレイ１０２において、偏光板１２，６２，６４，６６は、それらの偏光吸収軸が一致するように、いわゆるパラレルニコルに配置されている。偏光板１３は、液晶セル１１の液晶モードや表示用液晶パネル１が備え得るその他の光学部材（例えば各種の位相差板）の特性に応じて、偏光板１２に対してパラレルニコルであっても良いし、クロスニコルであっても良い。【００５１】
図６は、液晶ディスプレイ１０２の光学特性を波長毎に示す模式図である。なお、図６においては、偏光板１３およびバックライト３の図示を省略した。図６に示すように、液晶ディスプレイ１０２においては、正面方向に対しては、ＲＧＢの３原色の全ての波長成分の光（Ｒ1，Ｇ1，Ｂ1）が透過し、観察者に視認される。一方で、極角が所定の角度よりも大きい斜め方向に対しては、位相差板６１で与えられる位相差により、Ｒの波長成分の光（Ｒ2）は偏光板６２を透過できずに遮蔽される。Ｇの波長成分の光（Ｇ2）とＢの波長成分の光（Ｂ2）は偏光板６２を透過するが、位相差板６３で与えられる位相差により、Ｇの波長成分の光（Ｇ2）は偏光板６４を透過できずに遮蔽される。Ｂの波長成分の光（Ｂ2）は偏光板６４を透過するが、位相差板６５で与えられる位相差により、偏光板６６を透過できずに遮蔽される。つまり、図６の構成によれば、位相差板６１と偏光板６２との組み合わせが第１の遮光層として機能し、位相差板６３と偏光板６４との組み合わせ、および位相差板６５と偏光板６６との組み合わせが、２層の補助遮光層として機能する。この構成により、斜め方向に対しては、ＲＧＢの３原色の全ての波長成分の光（Ｒ2，Ｇ2，Ｂ2）が遮蔽され、観察者には視認されない。この結果、液晶ディスプレイ１０２は、斜め方向からの覗き見を確実に防止することができる。【００５２】
以上の光学特性を実現するためには、以下の（１）〜（６）の条件が満たされていることが必要である。なお、ここでは、上述のとおり、偏光板１２，６２，６４，６６は、それらの偏光吸収軸が一致するように、いわゆるパラレルニコルに配置されているものとする。【００５３】
（１）正面方向（極角φ＝０°）に対して、Ｒのピーク波長λR、Ｇのピーク波長λG、およびＢのピーク波長λBについての位相差板６１のリタデーション値ＲPOL61R0，ＲPOL61G0，ＲPOL61B0が、ｎをそれぞれ０以上の整数とした場合、それぞれ下記の条件式（ｆ１０）〜（ｆ１２）を満たすこと。なお、位相差板６１のリタデーション値は、位相差板６１の３次元屈折率（ｎｘ，ｎｙ，ｎｚ）および位相差板６１の厚さ（ｄ）によって決まる。
ｎλR−λR／４  ＜  ＲPOL61R0  ＜  ｎλR＋λR／４    ・・・（ｆ１０）
ｎλG−λG／４  ＜  ＲPOL61G0  ＜  ｎλG＋λG／４    ・・・（ｆ１１）
ｎλB−λB／４  ＜  ＲPOL61B0  ＜  ｎλB＋λB／４    ・・・（ｆ１２）【００５４】
（２）正面方向（極角φ＝０°）に対して、Ｒのピーク波長λR、Ｇのピーク波長λG、およびＢのピーク波長λBについての位相差板６３のリタデーション値ＲPOL63R0，ＲPOL63G0，ＲPOL63B0が、ｎをそれぞれ０以上の整数とした場合、それぞれ下記の条件式（ｆ１３）〜（ｆ１５）を満たすこと。
ｎλR−λR／４  ＜  ＲPOL63R0  ＜  ｎλR＋λR／４    ・・・（ｆ１３）
ｎλG−λG／４  ＜  ＲPOL63G0  ＜  ｎλG＋λG／４    ・・・（ｆ１４）
ｎλB−λB／４  ＜  ＲPOL63B0  ＜  ｎλB＋λB／４    ・・・（ｆ１５）【００５５】
（３）正面方向（極角φ＝０°）に対して、Ｒのピーク波長λR、Ｇのピーク波長λG、およびＢのピーク波長λBについての位相差板６５のリタデーション値ＲPOL65R0，ＲPOL65G0，ＲPOL65B0が、ｎをそれぞれ０以上の整数とした場合、それぞれ下記の条件式（ｆ１６）〜（ｆ１８）を満たすこと。
ｎλR−λR／４  ＜  ＲPOL65R0  ＜  ｎλR＋λR／４    ・・・（ｆ１６）
ｎλG−λG／４  ＜  ＲPOL65G0  ＜  ｎλG＋λG／４    ・・・（ｆ１７）
ｎλB−λB／４  ＜  ＲPOL65B0  ＜  ｎλB＋λB／４    ・・・（ｆ１８）【００５６】
（４）斜め方向（極角φ＝θ）に対して、Ｒのピーク波長λRについての位相差板６１のリタデーション値ＲPOL61Rθが、ｎをそれぞれ０以上の整数とした場合、下記の条件式（ｆ１９）を満たすこと。
ｎλR／２−λR／４  ＜  ＲPOL61Rθ  ＜  ｎλR／２＋λR／４  ・・・（ｆ１９）【００５７】
（５）斜め方向（極角φ＝θ）に対して、Ｇのピーク波長λGについての位相差板６３のリタデーション値ＲPOL63Gθが、ｎをそれぞれ０以上の整数とした場合、下記の条件式（ｆ２０）を満たすこと。
ｎλG／２−λG／４  ＜  ＲPOL63Gθ  ＜  ｎλG／２＋λG／４  ・・・（ｆ２０）【００５８】
（６）斜め方向（極角φ＝θ）に対して、Ｂのピーク波長λBについての位相差板６５のリタデーション値ＲPOL65Bθが、ｎをそれぞれ０以上の整数とした場合、下記の条件式（ｆ２１）を満たすこと。
ｎλB／２−λB／４  ＜  ＲPOL65Bθ  ＜  ｎλB／２＋λB／４  ・・・（ｆ２１）【００５９】
上記（ｆ１９）〜（ｆ２１）の条件が満たされれば、斜め方向においては、Ｒ，Ｇ，Ｂの波長成分が、偏光板６２，６４，６６でそれぞれ遮蔽される。これにより、斜め方向から見た場合に、表示用液晶パネル１の表示内容を視認できない狭視野角状態を実現することができる。【００６０】
なお、偏光板１２に対して偏光板６２がクロスニコルに配置されている場合は、上記の式（ｆ１０）〜（ｆ１２）において、ｎλR，ｎλB，ｎλGの各項を、ｎλR／２，ｎλB／２，ｎλG／２に置き換えると共に、式（ｆ１９）において、ｎλR／２の項を、ｎλRに置き換えれば良い。【００６１】
また、偏光板６２に対して偏光板６４がクロスニコルに配置されている場合は、上記の式（ｆ１３）〜（ｆ１５）において、ｎλR，ｎλB，ｎλGの各項を、ｎλR／２，ｎλB／２，ｎλG／２に置き換えると共に、式（ｆ２０）において、ｎλG／２の項を、ｎλGに置き換えれば良い。【００６２】
また、偏光板６４に対して偏光板６６がクロスニコルに配置されている場合は、上記の式（ｆ１６）〜（ｆ１８）において、ｎλR，ｎλB，ｎλGの各項を、ｎλR／２，ｎλB／２，ｎλG／２に置き換えると共に、式（ｆ２１）において、ｎλB／２の項を、ｎλBに置き換えれば良い。【００６３】
また、より良好な狭視野角特性を得るためには、上記の式（ｆ１９）〜（ｆ２１）におけるλR／４，λB／４，λG／４の各項を、例えばλR／８，λB／８，λG／８に設定すること、あるいは、よりゼロに近い小さな値に設定することが好ましい。【００６４】
位相差板６１，６３，６５としては、例えば、ネガティブＣプレート（ｎｘ＝ｎｙ＞ｎｚ）を用いることができる。この場合、例えば、極角φ＝４５°に対して、Ｒのピーク波長を含む波長範囲の光が偏光板６２を透過しないようにするために、当該極角に対するネガティブＣプレート（位相差板６１）のリタデーション値をほぼλR／２（λR＝６５０ｎｍ）に設定すれば良い。また、例えば、極角φ＝４５°に対して、Ｇのピーク波長を含む波長範囲の光が偏光板６４を透過しないようにするために、当該極角に対するネガティブＣプレート（位相差板６３）のリタデーション値をほぼλG／２（λG＝５５０ｎｍ）に設定すれば良い。また、例えば、極角φ＝４５°に対して、Ｂのピーク波長を含む波長範囲の光が偏光板６６を透過しないようにするために、当該極角に対するネガティブＣプレート（位相差板６５）のリタデーション値をほぼλB／２（λB＝４５０ｎｍ）に設定すれば良い。【００６５】
以上のように、本実施形態にかかる液晶ディスプレイ１００によれば、斜め方向の視角に対して、ＲＧＢ全波長成分を確実に遮光することができる。これにより、斜め方向の視角から見た場合に表示用液晶パネル１の表示内容が全く見えない狭視野角状態を実現することができる。【００６６】
また、本実施形態においても、第１の実施形態と同様に、バックライト３として、３波長光源の代わりに４波長光源やその他の任意の光源を有するバックライトを用いることが可能である。【００６７】
また、本実施形態では、各波長成分を遮光するために、位相差板６１，６３，６５を用いる構成を例示したが、これらの位相差板のうち少なくとも１枚を、当該位相差板と同等のリタデーションを有する液晶セルを用いても良い。すなわち、位相差板６１，６３，６５を用いた構成では、広視野角状態と狭視野角状態との切り替えができないが、これらの位相差板の代わりに液晶セルを用いれば、液晶セルの駆動電圧を切り替えることによって、広視野角状態と狭視野角状態とを動的に切り替えることが可能となる。【００６８】
また、本実施形態では、図６に示したように、偏光板１２が、表示用液晶パネル１の出射側偏光板と、視野角制御用液晶パネル２の入射側偏光板とを兼ねた構成を例示した。しかし、第１の実施形態において図３に示した液晶ディスプレイ１０１と同様に、偏光板１２の上層に、視野角制御用液晶パネル２の入射側偏光板としての偏光板２３をさらに備えた構成としても良い。【００６９】
さらに、本実施形態では、表示用液晶パネル１に最も近い位置に積層された位相差板６１が、偏光板６２との組み合わせによってＲ波長成分を遮光し、その次に積層された位相差板６３が、偏光板６４との組み合わせによってＧ波長成分を遮光し、観察者に最も近い位置に積層された位相差板６５が、偏光板６６との組み合わせによってＢ波長成分を遮光する構成を例示した。しかし、各色成分を遮光する位相差板の積層順序は任意である。【００７０】
以上、本発明についていくつかの実施形態を説明したが、本発明は、上記の具体例のみに限定されず、発明の範囲内で種々の変更が可能である。【００７１】
例えば、第１および第２の実施形態では、表示用液晶パネル１の前面および背面のいずれか一方のみに視野角制御素子を備えた構成を例示した。しかし、表示用液晶パネル１の前面および背面の両方に視野角制御素子を備えた構成としても良い。また、狭視野角状態においてより広い範囲を遮蔽するために、視野角制御素子を、例えば向きを変えて複数積層した構成としても良い。【００７２】
また、例えば、図７は、第１の実施形態にかかる液晶ディスプレイ１００の変形例としての液晶ディスプレイ２００の構成を示す。図１と図７とを比較することから分かるように、液晶ディスプレイ１００と液晶ディスプレイ２００とは、表示用液晶パネル１と視野角制御用液晶パネル２との積層順序が逆になっている。すなわち、図７に示すように、液晶ディスプレイ２００は、バックライト３と表示用液晶パネル１との間に、視野角制御用液晶パネル２が配置された構成である。液晶ディスプレイ２００において、表示用液晶パネル１は、半透過型液晶パネルであっても良い。【００７３】
なお、液晶ディスプレイ２００は、バックライト３と視野角制御用液晶パネル２との間に、直線偏光板２６を備えている。すなわち、図１に示した液晶ディスプレイ１００の場合は、表示用液晶パネル１の偏光板１２が、視野角制御用液晶パネル２への光入射側に設けられた偏光板として機能するが、図７に示す液晶ディスプレイ２００の場合は、バックライト３側に直線偏光板を設ける必要があるからである。ただし、図７に示した液晶ディスプレイ２００において、表示用液晶パネル１の入射側偏光板としての偏光板１３は、省略可能である。なお、図７に示した液晶ディスプレイ２００において、視野角制御用液晶パネル２と位相差板４と偏光板５との代わりに、第２の実施形態にかかる視野角制御フィルム６を備えた構成としても良い。【００７４】
また、上記の説明では、表示装置の具体例として、透過型液晶パネルを挙げたが、表示装置はこれに限定されない。例えば、反射型または半透過型の液晶表示パネルを表示装置として用いることもできる。また、液晶表示パネルのような非発光型表示装置に限らず、例えば、ＣＲＴ（Cathode Ray Tube）、プラズマディスプレイ、有機ＥＬ（Electronic Luminescence）素子、無機ＥＬ素子、ＬＥＤ（Light Emitting Diode）ディスプレイ、蛍光表示管（Vacuum Fluorescent Display）、電界放出ディスプレイ（Field Emission Display）、表面電界ディスプレイ（Surface-conduction Electron-emitter Display）等の自発光型表示装置を用いることもできる。【００７５】
なお、上記の第１の実施形態において、ディスプレイの表示状態が狭視野角であるときに、ユーザにその旨を知らせるためのメッセージ、画像、またはアイコン等を、表示装置の画面に表示するようにしても良い。【００７６】
また、上記の第１の実施形態において、表示装置で表示される画像の内容に応じて視野角制御装置の駆動回路が動作し、狭視野角と広視野角とを自動的に切替えるようにしても良い。例えば、ディスプレイがインターネットのウェブページを見るために用いられる場合、ウェブページの内容に応じて各ページに関連付けられたソフトウェアフラッグを参照し、他人から見られないことが好ましい内容である場合等に、狭視野角の表示状態に自動的に切替えるようにしても良い。また、ブラウザが暗号化モードで起動された場合に、狭視野角の表示状態へ切替えるようにしても良い。【００７７】
また、ディスプレイが、データ入力装置の一部である場合、またはデータ入力装置と関連し、入力されているデータタイプまたは入力されようとするデータタイプが機密性を有するものである場合等に、ディスプレイの表示状態を狭視野角に切替えるよう調整することも可能である。例えば、ユーザが何らかの個人識別番号を入力したとき等に、ディスプレイが自動的に狭視野角に切替わるようにすれば良い。【００７８】
なお、上記の第１の実施形態において、視野角制御装置は、表示装置から取り外しが可能なモジュールまたはカバーとして形成されても良い。そのような取り外し可能なモジュールは、表示装置に取り付けられたときに、表示装置に電気的に接続されることによって、適切な電力と制御信号を得ることができる。【００７９】
また、上記の第１の実施形態において、ディスプレイの周囲光を測定する光学センサ（アンビエントセンサ）をさらに備え、光学センサの測定値が所定の閾値を下回るときに、ディスプレイの表示状態を狭視野角とすることも好ましい。【００８０】
なお、第２の実施形態にかかる液晶ディスプレイ１０２は、常時、狭視野角状態となっており、第１の実施形態の液晶ディスプレイのように広視野角状態と狭視野角状態とを切り替えることは不可能である。しかし、第１の実施形態に比べて、装置構成が簡単であること、表示装置全体を薄くかつ軽量に形成できること、透過率が高いこと、等の利点を有する。従って、用途に応じて、第１の実施形態と第２の実施形態とを使い分けることが好ましい。【００８１】
例えば、携帯電話機やモバイルＰＣ等のように、周囲の状況に応じて広視野角状態と狭視野角状態とを切り替えて使用したい表示装置の場合は、第１の実施形態を適用することが好ましい。一方、例えば現金自動預け払い機（ＡＴＭ）用表示パネルのように、常時、斜め後ろからの他人の覗き見を防止することが望ましい表示装置には、第２の実施形態を適用することが考えられる。また、車載モニタに対しては、第２の実施形態を適用することにより、車両のフロントガラスやサイドガラスへモニタ画面が映り込むことを防止できる。さらに、第２の実施形態で説明した視野角制御フィルム６の用途は、表示装置に限定されない。例えば、車両や建物の窓ガラスや、衝立等、様々な物品に貼り付けて、外からの視線を遮蔽するために用いることが考えられる。【００８２】
また、本発明にかかるディスプレイおよび視野角制御素子の用途は多岐に亘る。例えば、ノート型パーソナルコンピュータ、携帯型情報端末（ＰＤＡ）、携帯型ゲーム機、または携帯電話等のディスプレイに適用されるだけでなく、ＡＴＭ、公共の場に設置される情報端末、券売機、および車載用ディスプレイ等、様々な機器のディスプレイに適用される。【００８３】
また、本発明にかかる視野角制御素子は、ディスプレイに組み込まれた状態で実施されることもあるが、ディスプレイの部品として、視野角制御素子単体で製造され、流通する可能性もある。
【産業上の利用可能性】
【００８４】
本発明は、広視野角と狭視野角とを切替えることにより様々な使用環境や用途に適応可能なディスプレイと、これに用いられる視野角制御素子として、産業上利用可能である。
【図１】
2008143256.tif 000003
【図２】
2008143256.tif 000004
【図３】
2008143256.tif 000005
【図４】
2008143256.tif 000006
【図５】
2008143256.tif 000007
【図６】
2008143256.tif 000008
【図７】
2008143256.tif 000009
【国際調査報告】
2008143256.tif 000010
2008143256.tif 000011
2008143256.tif 000012
2008143256.tif 000013